(57)【要約】【課題】実装空間が減少し、かつ製造コストが低減されるカード用コネクタ装置を提供すること。【解決手段】本考案のカード用コネクタ装置は、基部と、該基部からそれぞれ延在するように形成される一対の延出アームと、を含む絶縁ハウジングと、前記絶縁ハウジングに取り付けられるフレームと、前記絶縁ハウジングにそれぞれ装着され、各カードにそれぞれ接続するための第１端子組と第２端子組とを含む複数の導電端子と、を含む。前記第１端子組と第２端子組とは、接触部と、テール部と、前記接触部と前記テール部とを連接するように折り曲げられて形成される固持部と、を含む。前記第１端子組のテール部と接触部は、前記固持部から相反する前後方向に沿って平行に延伸するように形成され、前記第２端子組のテール部と接触部は、前記固持部から同一な方向に沿って平行に延伸するように形成される。【選択図】図１
0003120076.tif 000002
【実用新案登録請求の範囲】
【請求項１】
カードを接続するための複数の端子溝が形成されるように対応接触部が配置される基部と、該基部の両端部からそれぞれ延在するように形成される一対の延出アームと、を含む絶縁ハウジングと、
主体部、主体部の側縁から折り曲げられて延在するようにそれぞれ形成される側壁と、
主体部と側壁からなるカードを収容するための収容空間と、を含み、
前記絶縁ハウジングに取り付けられるフレームと、
前記絶縁ハウジングの端子溝にそれぞれ装着され、各カードにそれぞれ接続するための第１端子組と第２端子組を含む複数の導電端子と、を含むカード用コネクタ装置において、
前記第１端子組と前記第２端子組は、接触部と、テール部と、前記接触部と前記テール部を連接するように折り曲げて形成した固持部と、を含み、
前記第１端子組のテール部と接触部は、前記固持部から相反する前後方向に沿って平行に延伸するように形成され、
前記第２端子組のテール部と接触部は、前記固持部から同一な方向に沿って平行に延伸するように形成されることを特徴とするカード用コネクタ装置。
【請求項２】
前記第２端子組の固持部の高さは、前記第１端子組の高さよりも短く、
前記第１端子組と前記第２端子組との各接触部は、テール部に平行に延在することを特徴とする、請求項１記載のカード用コネクタ装置。
【請求項３】
前記対応接触部は、互いに平行な二つであり、
一体操接触部に、一対の前記延出アームを連接する底壁が形成されることを特徴とする、請求項１に記載のカード用コネクタ装置。
【請求項４】
前記対応接触部の底壁に、前記第２端子組のテール部を保持するための第１凸部が形成され、
前記絶縁ハウジングの先端部に、前記第１端子組のテール部を保持するための第２凸部が形成されることを特徴とする、請求項３に記載のカード用コネクタ装置。
【請求項５】
前記延出アームに、前記フレームに係合するための取付溝がそれぞれ形成されることを特徴とする、請求項３に記載のカード用コネクタ装置。
【請求項６】
前記延出アームの内側には、カードの挿入を案内するためのガイド溝がそれぞれ形成され、
各ガイド溝に、カードの誤挿着を防止できる構造が形成されることを特徴とする、請求項１に記載のカード用コネクタ装置。
【請求項７】
前記カード用コネクタ装置は、絶縁ハウジングの側部にそれぞれ形成される固持溝に取り付けられる保持部材を含むことを特徴とする、請求項１に記載のカード用コネクタ装置。
【考案の詳細な説明】
【技術分野】
【０００１】
本考案はカード用コネクタ装置に関し、特に上下に重なるカード用コネクタ装置に関するものである。
【背景技術】
【０００２】
ノートブック型パソコン等の電子機器の増設記録装置としてカード用コネクタ装置が一般的に使用されている。このカード用コネクタ装置の記憶媒体としてはＰＣカードやメモリーカードが広く使用されるようになってきている。
【０００３】
従来のカード用コネクタ装置においては、一枚のカードしか挿着することができず、そのため、例えば、二枚或いは二枚以上のカードの両方を挿着したい場合に、電子機器の回路基板に対応するカード用コネクタをそれぞれ実装しなければならず面倒であり、かつ実装面積を確保しなければならないという問題があった。同時に２つのコネクタを配置する場合は２つ並べて実装するしかなく、そのため実装面積が大きくなり、かつ部品点数が多くなっていた。
【０００４】
その後、上下に重ねて実装するカード用コネクタ装置が考案され、これは、例えば、特許文献１と特許文献２に開示されたようなカード用コネクタ装置であり、第１カードに接続するように装着される第１導電端子と、第２カードを接続するように装着される第２導電端子と、を含み、且つ前記第１カードと第２カードは、上下に重なる状態に配置される。
【特許文献１】台湾実用新案公告第１６９１３３号明細書
【特許文献２】台湾実用新案公告第２６４１１７号明細書
【考案の開示】
【考案が解決しようとする課題】
【０００５】
しかしながら、上記特許文献１に開示されたカード用コネクタ装置は、前記第１導電端子と第２導電端子とが並設され、導電端子の配列密度が大きくなることで、製造加工が複雑になるだけでなく、製造コストも増加される。また、前記特許文献２に開示されるカード用コネクタ装置は、前記第１導電端子と第２導電端子とが交互に配置され、回路基板の半田付け操作要求を満足するために、前記第１導電端子または第２導電端子の長さを延長しなければならず、こうして、実装面積を占めることにより、パソコンの小型化の発展傾向に十分に対応できない。
【０００６】
そこで、従来の技術の欠点を改善したカード用コネクタ装置を開発する必要がある。
【０００７】
本考案は、実装空間を低減させ、かつ製造コストを低減させるカード用コネクタ装置を提供することを目的とする。
【課題を解決するための手段】
【０００８】
本考案のカード用コネクタ装置は、カードを接続するための複数の端子溝が形成されるように対応接触部が配置される基部と、該基部の両端部からそれぞれ延在するように形成される一対の延出アームと、を含む絶縁ハウジングと、主体部、主体部の側縁から折り曲げられて延在するようにそれぞれ形成される側壁と、主体部と側壁からなるカードを収容するための収容空間と、を含み、前記絶縁ハウジングに取り付けられるフレームと、前記絶縁ハウジングの端子溝にそれぞれ装着され、各カードにそれぞれ接続するための第１端子組と第２端子組を含む複数の導電端子と、を含む。前記第１端子組と前記第２端子組とは、接触部と、テール部と、前記接触部と前記テール部とを連接するように折り曲げられて形成される固持部と、を含む。前記第１端子組のテール部と接触部は、前記固持部から相反する前後方向に沿って平行に延伸するように形成され、前記第２端子組のテール部と接触部は、前記固持部から同一な方向に沿って平行に延伸するように形成される。
【考案の効果】
【０００９】
従来技術に比べ、本考案は以下の利点を有する。前記第１端子組と第２端子組は、異なる方向に沿って回路基板に半田付けされることで、回路基板に半田付けする操作に有利になるのみならず、カード用コネクタ装置の実装面積を低減させる。また、導電端子の構造が簡単で、製造コストを低減させる。
【考案を実施するための最良の形態】
【００１０】
以下、図１〜図８を参照すると、本考案のカード用コネクタ装置の好ましい実施形態について、添付図面を参照して説明する。該カード用コネクタ装置１は、カード（図示せず）に接続するための複数の導電端子２と、前記導電端子２を装着する絶縁ハウジング３と、絶縁ハウジング３を回路基板（図示せず）に実装するように配置される保持部材４と、絶縁ハウジング３に保持される金属板からなるフレーム５と、を含む。
【００１１】
図１〜図３を参照すると、前記絶縁ハウジング３は、基部１０と、該基部１０の長手方向の両端部からそれぞれ直角に延在するように形成される一対の延出アーム１３と、前記一対の延出アーム１３の間に位置し、前記基部１０から後向きに延在するように形成される対応接触部１１、１２と、を含む。前記対応接触部１１、１２は、上下方向で平行に離間するように配置され、かつ絶縁ハウジング３を貫通する端子溝１１０、１２０がそれぞれ形成され、また対応接触部１２は、一対の前記延出アーム１３を連接し、かつ複数の第１凸部１２２を有する底壁１２１を含む。絶縁ハウジング３の先端側１０１は、頂部に突設される取付凸部１０２と、底部に形成される複数の第２凸部１０３と、が設けられる。
【００１２】
図３を参照すると、前記各延出アーム１３の内側には、各カードの挿入を案内するようにガイド溝１５、１６がそれぞれ形成され、一方のガイド溝１５の下壁（参照付号なし）が上壁（参照付号なし）よりも広く構成されているので、一方のカードの誤挿着を防止でき、また、前記他方のガイド溝１６の上壁に階段部１４が配置されるので、他方のカードの誤挿着を防止できる。一対の前記延出アーム１３の外側に、各延出アーム１３を垂直に貫通する固持溝１３０と、該固持溝１３０の外側に位置する取付溝１３２と、がそれぞれ形成され、前記固持溝１３０の底部に一対の突出部１３１が突設される。
【００１３】
前記保持部材４は、金属板からなり、前記固持溝１３０内に収容される保持部４１と、回路基板に半田付けされる保持脚４２と、前記突出部１３１に係合する肩部４３と、を含む。前記保持部材４の保持脚４２が回路基板に半田付けされることにより、前記絶縁ハウジング３が回路基板に実装される。
【００１４】
図１と図２を参照すると、前記フレーム５は、主体部５０と、該主体部５０の側縁から下向きに折り曲げられて延在するようにそれぞれ形成される側壁と、主体部５０と該等側壁からなるカードを収容するための収容空間５３と、を含む。前記これら側壁は、主体部５０の先端縁から延在するように形成される先端壁５１と、主体部５０の両側縁から延在するように形成される両側壁５２と、前記先端壁５１に近接する主体部５０の両側縁からそれぞれ在するように形成される取付壁５５と、を含む。前記先端壁５１には、前記絶縁ハウジング３の取付凸部１０２に係合するように開口５１０が形成され、前記取付壁５５には、前記絶縁ハウジング３の取付溝１３２に係合するように錠止片５５０が形成される。前記開口５１０を取付凸部１０２に係合させるとともに前記錠止片５５０を取付溝１３２に係合させることによって、フレーム５が前記絶縁ハウジング３に取り付けられる。
【００１５】
前記両側壁５２には、主体部５０と平行で前記収容空間５３へ突出する両水平部５６が配置され、前記収容空間５３は該両水平部５６によって、両カードをそれぞれ収容するための二部分が画成される。収容空間５３の前記二部分は前記ガイド溝１５、１６とともに、カードの挿着を案内するのみならず、カードの挿着完成後の揺さ振りを防止できる。また、両側壁５２に回路基板に支持される支持部材５４が配置され、支持部材５４に実際の要求に応じてカードを排出ための排出機構を取り付け得る。
【００１６】
前記複数の導電端子２は、前記絶縁ハウジング３の端子溝１１０内にそれぞれ装着される第１端子組と、端子溝１２０内にそれぞれ装着される第２端子組と、を含む。前記第１端子組は、カードを接触するためのコンタクト２０を有する接触部２１と、前記第２凸部１０３間に保持され、かつ回路基板に半田付けされるテール部２３と、前記接触部２１とテール部２３とを連接するように折り曲げられて形成される固持部２２と、を含む。取付時に、前記第１端子組のテール部２３と接触部２１は、固持部２２から相反する前後方向に沿って平行に延伸するように形成される。前記固持部２２が絶縁ハウジング３の端子溝１１０内に干渉して係合することによって、第１端子組は絶縁ハウジング３内に固持される。
【００１７】
前記第２端子組の構造は、第１端子組と類似し、カードを接触するためのコンタクト３０を有する接触部３１と、前記第１凸部１２２間に保持され、かつ回路基板に半田付けされるテール部３３と、前記接触部３１とテール部３３とを連接するように折り曲げられて形成される固持部３２と、を含む。取付時に、前記第２端子組のテール部３３と接触部３１は、固持部３２から同一な方向に沿って平行に延伸するように形成される。また、垂直方向（即ち、直交方向）で第２端子組の固持部３２の高さが第１端子組の固持部２２の高さよりも短いため、カード用コネクタ装置１の整体高さの増加を回避できる。
【００１８】
カード用コネクタ装置１において、前記第１端子組のテール部２３と第２端子組のテール部３３は、絶縁ハウジング３の基部１０の両側にそれぞれ位置づけられることで、取付時、異なる方向に沿って回路基板に半田付けされる。こうして、回路基板に半田付けする操作は有利になり、かつカード用コネクタ装置１の実装面積が低減される。また、導電端子２の構造が簡単であり、製造コストが低減される。
【００１９】
以上本考案について好ましい実施の形態を参照して詳細に説明したが、実施形態はあくまでも例示的なものであり、これらに限定されるものではない。また、本考案に基づきなし得る細部の修正或は変更など、いずれも本考案の実用新案登録請求の範囲に属するものである。
【図面の簡単な説明】
【００２０】
【図１】本考案に係るカード用コネクタ装置の分解斜視図である。
【図２】本考案に係るカード用コネクタ装置の組立斜視図である。
【図３】本考案に係るカード用コネクタ装置のフレームが取外した組立斜視図である。
【図４】図３に示すカード用コネクタ装置の他の角度から見た分解斜視図である。
【図５】図３に示すカード用コネクタ装置の正面図である。
【図６】図３に示すカード用コネクタ装置の平面図である。
【図７】図３に示すカード用コネクタ装置の底面図である。
【図８】図３に示すカード用コネクタ装置のＡ−Ａ線で切断した断面図である。
【符号の説明】
【００２１】
１  カード用コネクタ装置
２  導電端子
３  絶縁ハウジング
４  保持部材
５  フレーム
１０  基部
１１、１２  対応接触部
１３  延出アーム
１４  階段部
１５、１６  ガイド溝
２０、３０  コンタクト
２１、３１  接触部
２２、３２  固持部
２３、３３  テール部
４１  保持部
４２  保持脚
４３  肩部
５０  主体部
５１  先端壁
５２  側壁
５３  収容空間
５４  支持部材
５５  取付壁
５６  水平部
１０１  先端側
１０２  取付凸部
１０３  第２凸部
１１０、１２０  端子溝
１２１  底壁
１２２  第１凸部
１３０  固持溝
１３１  突出部
１３２  取付溝
５１０  開口
５５０  錠止片
【図１】
0003120076.tif 000003
【図２】
0003120076.tif 000004
【図３】
0003120076.tif 000005
【図４】
0003120076.tif 000006
【図５】
0003120076.tif 000007
【図６】
0003120076.tif 000008
【図７】
0003120076.tif 000009
【図８】
0003120076.tif 000010